(57)【要約】【課題】より簡単な構成で視差バリア方式による裸眼での３Ｄ表示と、解像度の低下のない２Ｄ表示が切り替え可能な表示装置を提供する。【解決手段】偏光板を削減して製造コストの低減を図るために、偏光板が不要な高分子分散型液晶を具備する光シャッター部を、視差バリアとして用いる。また、バックライトとなる光源部を、拡散板が不要な面光源を形成する、ＥＬ素子による光源を用いる。また、バックライトとなる光源部として、複数のＥＬ素子を設け、当該ＥＬ素子を選択的に制御可能にして、選択的な光の射出をする。【選択図】図１
2012186798.tif 000002
【特許請求の範囲】
【請求項１】
ＥＬ素子を有する面光源より光を射出する光源部と、
前記光源部に重畳して設けられ、複数の電極に印加する電圧を制御して当該複数の電極で挟持された高分子分散型液晶に透光部及び遮光部を形成し、当該透光部及び遮光部により選択的に前記光源部からの光を透過させる光シャッター部と、
前記光源部及び前記光シャッター部に重畳して設けられ、左目用の表示を行う第１の画素部及び右目用の表示を行う第２の画素部を有する液晶パネルと、を有する液晶表示装置。
【請求項２】
複数のＥＬ素子を有する光源より選択的に光を射出する光源部と、
前記光源部に重畳して設けられ、複数の電極に印加する電圧を制御して当該複数の電極で挟持された高分子分散型液晶に透光部及び遮光部を形成し、当該透光部及び遮光部により選択的に前記光源部からの光を透過させる光シャッター部と、
前記光源部及び前記光シャッター部に重畳して設けられ、左目用の表示を行う第１の画素部及び右目用の表示を行う第２の画素部を有する液晶パネルと、を有する液晶表示装置。
【請求項３】
請求項２において、前記複数のＥＬ素子は、アクティブマトリクス駆動またはパッシブマトリクス駆動により前記選択的な光の射出が制御される液晶表示装置。
【請求項４】
請求項１乃至請求項３のいずれか一において、前記第１の画素部及び前記第２の画素部は、カラーフィルタ、液晶素子及び前記液晶素子を駆動するスイッチング素子を有する液晶表示装置。
【請求項５】
請求項１乃至請求項４のいずれか一に記載の液晶表示装置を具備する電子機器。
【発明の詳細な説明】
【技術分野】
【０００１】
本発明は、液晶表示装置及び当該液晶表示装置を具備する電子機器に関する。特に、３次元表示（３Ｄ表示）を行う液晶表示装置及び当該液晶表示装置を具備する電子機器に関する。
【背景技術】
【０００２】
液晶表示装置は、テレビ受像機などの大型表示装置から携帯電話などの小型表示装置に至るまで、普及が進んでいる。今後は、より付加価値の高い製品が求められており開発が進められている。近年では、より臨場感のある画像を再現するため、３Ｄ表示を体験可能な液晶表示装置の開発が進められている。
【０００３】
３Ｄ表示を行う表示方式としては、左目で見る画像と右目で見る画像とを分離するための眼鏡を用いる方式（画像分離方式ともいう）と、表示部において左目で見る画像と右目で見る画像を分離するための構成を追加し裸眼での３Ｄ表示を可能にする裸眼方式と、がある。裸眼方式による３Ｄ表示は、眼鏡を別途準備する必要がなく、利便性に優れている。裸眼方式による３Ｄ表示は、携帯電話や携帯型遊技機等での普及が広がりつつある。
【０００４】
裸眼方式による３Ｄ表示としては、表示部に視差バリアを追加する、いわゆる視差バリア方式（パララックスバリア方式とも言う）が知られている。視差バリア方式における視差バリアは、ストライプ状の遮光部であり、３Ｄ表示から２次元表示（２Ｄ表示）に切り替えた際に解像度を低下させる原因になる。そのため視差バリア方式では、２Ｄ表示と３Ｄ表示とを切り替える場合に、パターニングされた透明電極を有する液晶パネルを用い、当該透明電極に印加する電圧を制御することで液晶層による透光または遮光を切り替える方法が提案されている。この方法により、視差バリアとしての効果の有無を切り替えることが可能である（特許文献１を参照）。
【先行技術文献】
【特許文献】
【０００５】
【特許文献１】特開２００５−２５８０１３号公報
【発明の概要】
【発明が解決しようとする課題】
【０００６】
特許文献１には、所定のパターンに透明電極を形成して当該透明電極で挟持するよう液晶層を設け、さらにその外側において偏光板を設けて液晶層による視差バリアを実現する構成が記載されている。しかしながら、当該特許文献１の構成では、偏光板等、多くの部材が必要であり、製造コストの増加が問題となる。また偏光板による光の減衰が起こるため、高い輝度のバックライトが必要であり、液晶表示装置の消費電力の増加が問題となる。
【０００７】
そこで、本発明の一態様は、より簡単な構成で視差バリア方式による裸眼での３Ｄ表示と、解像度の低下のない２Ｄ表示が切り替え可能な表示装置を提供することを課題の一とする。
【課題を解決するための手段】
【０００８】
本発明の一態様は、偏光板を削減して製造コストの低減を図るために、偏光板が不要な高分子分散型液晶を具備する光シャッター部を、視差バリアとして用いることを特徴とする。本発明の一態様は、バックライトとなる光源部を、拡散板が不要な面光源を形成する、ＥＬ（Ｅｌｅｃｔｒｏｌｕｍｉｎｅｓｃｅｎｃｅ）素子による光源を用いることを特徴とする。本発明の一態様は、バックライトとなる光源部として、複数のＥＬ素子を設け、当該複数のＥＬ素子を選択的に制御して、選択的な光の射出をすることを特徴とする。
【０００９】
本発明の一態様は、ＥＬ素子を有する面光源より光を射出する光源部と、光源部に重畳して設けられ、かつ複数の電極と当該複数の電極で挟持された高分子分散型液晶を有する光シャッター部と、光源部及び光シャッター部に重畳して設けられ、左目用の表示を行う第１の画素部及び右目用の表示を行う第２の画素部を有する液晶パネルと、を有する液晶表示装置である。前記複数の電極に印加する電圧を制御して前記高分子分散型液晶に透光部及び遮光部が形成され、前記光源部からの光の透過が制御される。
【００１０】
本発明の一態様は、複数のＥＬ素子を有する光源より選択的に光を射出する光源部と、光源部に重畳して設けられ、かつ複数の電極と当該複数の電極で挟持された高分子分散型液晶を有する光シャッター部と、光源部及び光シャッター部に重畳して設けられ、左目用の表示を行う第１の画素部及び右目用の表示を行う第２の画素部を有する液晶パネルと、を有する液晶表示装置である。前記複数の電極に印加する電圧を制御して前記高分子分散型液晶に透光部及び遮光部が形成され、前記光源部からの光の透過が制御される。
【００１１】
本発明の一態様において、複数のＥＬ素子は、アクティブマトリクス駆動またはパッシブマトリクス駆動により選択的な光の射出が制御される液晶表示装置が好ましい。
【００１２】
本発明の一態様において、第１の画素部及び第２の画素部は、カラーフィルタ、液晶素子及び液晶素子を駆動するスイッチング素子を有する液晶表示装置が好ましい。
【発明の効果】
【００１３】
本発明の一態様により、偏光板が削減され、製造コストの低減を図ることができる。また、本発明の一態様により、光源部の拡散板が削減され、製造コストの低減を図ることができる。また、より簡単な構成による視差バリア方式による裸眼での３Ｄ表示と、解像度の低下のない２Ｄ表示が切り替え可能な液晶表示装置を実現できる。
【００１４】
本発明の一態様により、光源部での選択的な光の射出をすることができ、光の射出を行わない領域を形成することができる。そのため、コントラスト比の向上及び低消費電力化が可能な液晶表示装置を実現できる。
【図面の簡単な説明】
【００１５】
【図１】液晶表示装置の構成を示す図。
【図２】光源部の構成を示す図。
【図３】光源部の回路図及びブロック図。
【図４】光源部の断面図。
【図５】光シャッター部の構成を示す図。
【図６】光源部の光の射出例を示す図。
【図７】電子機器を説明する図。
【発明を実施するための形態】
【００１６】
以下、本発明の実施の形態について図面を参照しながら説明する。但し、本発明は多くの異なる態様で実施することが可能であり、本発明の趣旨及びその範囲から逸脱することなくその形態及び詳細を様々に変更し得ることは当業者であれば容易に理解される。従って本実施の形態の記載内容に限定して解釈されるものではない。なお、以下に説明する本発明の構成において、同じ物を指し示す符号は異なる図面間において共通とする。
【００１７】
なお、各実施の形態の図面において示す各構成の、大きさ、厚さ、又は面積は、明瞭化のために誇張されて表記している場合がある。よって、必ずしもそのスケールに限定されない。
【００１８】
なお本明細書にて用いる第１、第２、第３、乃至第Ｎ（Ｎは自然数）という用語は、構成要素の混同を避けるために付したものであり、数的に限定するものではないことを付記する。
【００１９】
（実施の形態１）
本実施の形態では、本発明の一態様の液晶表示装置の構成について図１を参照して説明する。
【００２０】
図１（Ａ）は、液晶表示装置の構成例を示す図である。図１（Ａ）に示す液晶表示装置１０は、光源部１００、光シャッター部１１０及び液晶パネル１２０を有する。図１（Ａ）では、液晶表示装置１０を視認する視認者の左目１３０Ｌ及び右目１３０Ｒを示している。そして図１（Ａ）では、視認者の左目１３０Ｌ及び右目１３０Ｒに向かう矢印によって、液晶表示装置１０からの光が視認者に視認される様子を可視化して示している。
【００２１】
光源部１００は、ＥＬ素子を一面に形成して得られる面光源を有する。光源部１００は、光シャッター部１１０及び液晶パネル１２０に重畳して設けられる。光源部１００は、図１（Ａ）に示す矢印で表す光を、光シャッター部１１０側に射出する。
【００２２】
光シャッター部１１０は、電極に印加する電圧を制御することで透光部１１０Ａ及び遮光部１１０Ｂが形成される、当該電極で挟持された高分子分散型液晶を有する。従って、光シャッター部１１０は、当該透光部１１０Ａ及び遮光部１１０Ｂにより、光源部１００からの光を選択的に透過させる。光シャッター部１１０は、光源部１００及び液晶パネル１２０に重畳して設けられ、且つ光源部１００と液晶パネル１２０との間に設けられる。光シャッター部１１０では、図１（Ａ）に示すように、光源部１００からの矢印で表す光が、透光部１１０Ａを透過し、遮光部１１０Ｂで遮光される様子を可視化して示している。
【００２３】
液晶パネル１２０は、左目用の表示を行う第１の画素部１２０Ｌ及び右目用の表示を行う第２の画素部１２０Ｒを有する。そして液晶パネル１２０では、光シャッター部１１０の透光部１１０Ａを透過した光源部１００からの光を、第１の画素部１２０Ｌ及び第２の画素部１２０Ｒで画像信号に応じて透過させる。第１の画素部１２０Ｌで左目用の表示のために制御された光は、視認者の左目１３０Ｌに入射されることで、視認される。また第２の画素部１２０Ｒで右目用の表示のために制御された光は、視認者の右目１３０Ｒに入射することで、視認される。液晶パネル１２０は、光源部１００及び光シャッター部１１０に重畳して設けられ、且つ光源部１００及び光シャッター部１１０より視認者側に設けられる。
【００２４】
図１（Ｂ）は、図１（Ａ）に示す液晶表示装置１０の各構成を更に詳細に示した断面図である。図１（Ｂ）には、図１（Ａ）と同様に、光源部１００、光シャッター部１１０及び液晶パネル１２０を示している。
【００２５】
光源部１００は、第１の基板１０１、ＥＬ素子１０２及び第２の基板１０３を有する。ＥＬ素子１０２は、一面に形成されることで面光源として機能する。ＥＬ素子１０２からは、光シャッター部１１０に向けて光が射出される（図１（Ｂ）中、矢印１０４）。
【００２６】
第１の基板１０１は、基板上にＥＬ素子１０２を形成することのできる基板であればよい。第１の基板１０１は、一例としてはガラス基板である。なお第１の基板１０１は、透光性を有する必要はなく、例えば金属基板であってもよい。金属基板の場合には、熱伝導性が優れているため、例えばヒートシンクとしての機能を付加することが可能である。
【００２７】
ＥＬ素子１０２は、陽極（第１の電極ともいう）、陰極（第２の電極ともいう）及び陽極と陰極との間に挟まれたＥＬ層を有する素子である。ＥＬ層は、発光層の他、正孔注入層、正孔輸送層、電子輸送層、電子注入層を有する構成でもよい。ＥＬ素子１０２は、陽極と陰極との間に、補色の関係にある色の発光をするＥＬ層を積層することで白色光を得る構成でも良い。ＥＬ素子１０２におけるＥＬ層の発光は、蛍光でもよいし、燐光でもよいし、これらの双方であってもよい。
【００２８】
第２の基板１０３は、透光性を有する基板である。第２の基板１０３は、一例として、ガラス基板及び石英基板である。また第２の基板１０３の代わりに、透光性及びガスバリア性を有する絶縁膜を用いる構成でもよい。
【００２９】
光シャッター部１１０は、第１の基板１１１、第１の電極１１２、高分子分散型液晶１１３、第２の電極１１４及び第２の基板１１５を有する。光シャッター部１１０では、第１の電極１１２及び第２の電極１１４の間に印加される電圧によって高分子分散型液晶１１３の配向が制御される。光シャッター部１１０では、光シャッター部１１０に射出された光の散乱が選択的に制御される。そして光シャッター部１１０は、当該散乱に応じて光の透過または遮光を制御する。光シャッター部１１０を透過する光は、液晶パネル１２０に向けて選択的に射出される（図１（Ｂ）中、矢印１１６）。そのため光シャッター部１１０は、視差バリアの効果の有無を高分子分散型液晶１１３の配向により切り替えることができ、視差バリアによる裸眼での３Ｄ表示と、視差バリアによる解像度の低下のない２Ｄ表示が切り替え可能な液晶表示装置を実現できる。
【００３０】
第１の基板１１１は、第１の電極１１２を形成することができ、且つ透光性を有する基板である。第１の基板１１１は、一例として、ガラス基板及び石英基板である。
【００３１】
第１の電極１１２は、透光性及び導電性を有する材料で形成される。第１の電極１１２の材料は、一例として、酸化インジウム酸化スズ（Ｉｎ２Ｏ３―ＳｎＯ２、ＩＴＯと略記する）である。
【００３２】
高分子分散型液晶１１３（ＰＤＬＣ（Ｐｏｌｙｍｅｒ  Ｄｉｓｐｅｒｓｅｄ  Ｌｉｑｕｉｄ  Ｃｒｙｓｔａｌ））は、液晶を高分子中に分散させた層を液晶層として用いる液晶方式である。液晶は、該径が約０．１μｍ以上２０μｍ以下（代表的には１μｍ程度）の微小粒である。なお、駆動方法としてはＰＤＬＣ（Ｐｏｌｙｍｅｒ  Ｄｉｓｐｅｒｓｅｄ  Ｌｉｑｕｉｄ  Ｃｒｙｓｔａｌ）モードを用いる。また、高分子ネットワーク型液晶（ＰＮＬＣ（Ｐｏｌｙｍｅｒ  Ｎｅｔｗｏｒｋ  Ｌｉｑｕｉｄ  Ｃｒｙｓｔａｌ））を用いてもよい。高分子ネットワーク型液晶は、高分子ネットワーク中に液晶が連続的に配置された層を液晶層として用いる液晶方式である。なお本明細書及び特許請求の範囲において、高分子分散型液晶といえば、上記例示した高分子分散型液晶に加えて高分子ネットワーク型液晶を含む液晶を指すものとする。
【００３３】
第２の電極１１４は、透光性及び導電性を有する材料で形成される。第１の電極１１２の材料は、一例として、ＩＴＯである。
【００３４】
第２の基板１１５は、第２の電極１１４を形成することができ、且つ透光性を有する基板である。第２の基板１１５は、一例として、ガラス基板及び石英基板である。
【００３５】
液晶パネル１２０は、第１の偏光板１２１、第１の基板１２２、スイッチング素子１２３、第１の電極１２４、液晶１２５、第２の電極１２６、赤のカラーフィルタ１２７Ｒ、緑のカラーフィルタ１２７Ｇ、青のカラーフィルタ１２７Ｂ、第２の基板１２８及び第２の偏光板１２９を有する。
【００３６】
第１の偏光板１２１は、光シャッター部１１０を透過して液晶パネル１２０に向けて選択的に射出された光を偏光する偏光板である。
【００３７】
第１の基板１２２は、スイッチング素子１２３を形成することができ、且つ透光性を有する基板である。第１の基板１２２は、一例として、ガラス基板及び石英基板である。
【００３８】
スイッチング素子１２３には、トランジスタ、中でも薄膜トランジスタを用いることができる。薄膜トランジスタのチャネルが形成される半導体膜に用いる半導体材料の一例としては、非晶質シリコン、多結晶シリコン、単結晶シリコン、微結晶シリコンなどを用いることができる。また、他の一例としては、酸化物半導体を用いることができる。
【００３９】
第１の電極１２４は、透光性及び導電性を有する材料で形成される。第１の電極１２４の材料は、一例として、ＩＴＯである。
【００４０】
液晶１２５は、第１の偏光板１２１及び第２の偏光板１２９と組み合わせて用いることにより、光の透過の度合いを制御する液晶である。液晶１２５は、第１の電極１２４及び第２の電極１２６の間に印加される電圧により生じる電界（横方向の電界、縦方向の電界又は斜め方向の電界を含む）によって配向を制御し、光の透過の度合いを制御する。
【００４１】
第２の電極１２６は、透光性及び導電性を有する材料で形成される。第２の電極１２６の材料は、一例として、ＩＴＯである。
【００４２】
赤のカラーフィルタ１２７Ｒ、緑のカラーフィルタ１２７Ｇ及び青のカラーフィルタ１２７Ｂは、所定の色に対応する波長領域の光を通すことができる材料を選択的に形成して設けられる。赤のカラーフィルタ１２７Ｒ、緑のカラーフィルタ１２７Ｇ及び青のカラーフィルタ１２７Ｂは、一例として、顔料を分散させたアクリル系樹脂などの有機樹脂を用いて形成する。インクジェットなどの液滴吐出法を用いることで、選択的に赤のカラーフィルタ１２７Ｒ、緑のカラーフィルタ１２７Ｇ及び青のカラーフィルタ１２７Ｂを形成することもできる。
【００４３】
第２の基板１２８は、第２の電極１２６並びに赤のカラーフィルタ１２７Ｒ、緑のカラーフィルタ１２７Ｇ及び青のカラーフィルタ１２７Ｂを形成することができ、且つ透光性を有する基板である。第２の基板１２８は、一例として、ガラス基板及び石英基板である。
【００４４】
第２の偏光板１２９は、視認者側に向けて、第１の偏光板１２１及び液晶１２５を透過して射出された光を偏光する偏光板である。なお、第２の偏光板１２９は、第１の偏光板１２１の透過軸に対して、クロスニコルの関係になるよう配置することが好ましい。
【００４５】
以上説明した本実施の形態の構成により、光シャッター部１１０を偏光板が必要な液晶を有する構成で形成した場合に比べ、偏光板を削減して製造コストの低減を図ることができる。また本実施の形態の構成により、光シャッター部１１０を偏光板が必要な液晶を有する構成で形成した場合に比べ、偏光板を削減することによる表示面での輝度の向上を図ることができる。また以上説明した本実施の形態の構成により、拡散板を用いて発光ダイオードの光を一様な面光源として利用する構成と比べ、ＥＬ素子によるバックライトとなる面光源を形成することにより拡散板を不要にし、製造コストの低減を図ることができる。そのため本実施の形態によると、より簡単な構成による視差バリア方式による裸眼での３Ｄ表示と、解像度の低下のない２Ｄ表示が切り替え可能な液晶表示装置を実現できる。
【００４６】
本実施の形態は、他の実施の形態に記載した構成と適宜組み合わせて実施することが可能である。
【００４７】
（実施の形態２）
本実施の形態では、上記実施の形態１で説明した液晶表示装置１０を構成する光源部１００及び光シャッター部１１０の、構成例及び変形例について説明する。
【００４８】
＜光源部１００の構成例＞
図２（Ａ）は、図１（Ａ）に示した光源部１００の変形例を示す図である。図２（Ａ）に示す光源部１００は、上記実施の形態１で説明した第１の基板１０１、ＥＬ素子１０２及び第２の基板１０３の他、スイッチング素子１０５、ＥＬ素子１０２を複数のＥＬ素子に分離するための隔壁１０６を有する。
【００４９】
スイッチング素子１０５は、トランジスタ、中でも薄膜トランジスタを用いることができる。薄膜トランジスタのチャネルが形成される半導体膜に用いる半導体材料の一例としては、非晶質シリコン、多結晶シリコン、単結晶シリコン、微結晶シリコンなど用いることができる。他の一例としては、酸化物半導体を用いることができる。
【００５０】
隔壁１０６は、隣接する複数のＥＬ素子１０２の間で電気的な短絡が生じないように、各ＥＬ素子を分離するための絶縁物による構造体である。隔壁１０６は、一例として、ポリイミド、アクリル樹脂、ポリアミド、エポキシ樹脂等の有機樹脂または無機絶縁材料により形成することができる。
【００５１】
図２（Ａ）の構成とすることで、複数のＥＬ素子をスイッチング素子により選択的に制御するアクティブマトリクス方式による動作を実現できる。従って本実施の形態の構成で、バックライトとして機能する光源部１００は、マトリクス状に配置される複数のＥＬ素子を選択的に制御することができ、選択的な光の射出をすることができる。
【００５２】
また図２（Ａ）に示した複数のＥＬ素子を選択的に制御する構成の、別の構成について図２（Ｂ）に示す。図２（Ａ）では、光の射出方向について、矢印１０４で示すように第２の基板１０３側より射出する構成について示している。他方、図２（Ｂ）に示す構成では、光の射出方向について、矢印１０４で示すように第１の基板１０１側より射出する構成について示している。
【００５３】
なお図２（Ｃ）に示すように、光源部１００にスイッチング素子を形成せず、いわゆるパッシブマトリクス方式による動作によって選択的な発光を行っても良い。
【００５４】
次いで、図３（Ａ）、（Ｂ）では、図２（Ａ）、（Ｂ）に示したアクティブマトリクス方式による、光源部１００の構成のブロック図及び回路図による説明を行う。
【００５５】
図３（Ａ）に示すアクティブマトリクス方式での光源部１００のブロック図は、走査線駆動回路２０１、信号線駆動回路２０２、光源領域２０３で表すことができる。光源領域２０３には各々ＥＬ素子が設けられる複数の光源２０４がマトリクス状に設けられている。複数の光源２０４は、走査線駆動回路２０１によって制御される走査線２０５、信号線駆動回路２０２によって制御される信号線２０６及び電源回路２０７に接続された電流供給線２０８に接続される。
【００５６】
図３（Ｂ）は、図３（Ａ）に示す光源領域２０３が有する光源２０４の回路図の一例を示す図である。図３（Ｂ）に示す光源２０４は、ゲートが走査線２０５に接続され、ソース及びドレインの一方が信号線２０６に接続されたトランジスタ２１１と、一方の電極がトランジスタ２１１のソース及びドレインの他方に接続され、他方の電極が電流供給線２０８に接続された容量素子２１２と、ゲートがトランジスタ２１１のソース及びドレインの他方並びに容量素子２１２の一方の電極に接続され、ソース及びドレインの一方が電流供給線２０８に接続されたトランジスタ２１３と、一方の電極がトランジスタ２１３のソース及びドレインの他方に接続され、他方の電極が共通電極に接続されたＥＬ素子２１４と、を有する。図３（Ａ）、（Ｂ）の構成とすることで、走査線２０５及び信号線２０６により選択的に、光を射出する光源２０４を発光させることができる。また図３（Ａ）、（Ｂ）の構成では、各光源２０４に流れる電流量を調整することで、階調の制御も個別に行うことが可能となる。
【００５７】
次いでＥＬ素子の断面図の構成例について説明する。本実施の形態では、スイッチング素子として多結晶シリコンを有する薄膜トランジスタを用いる場合について説明する。
【００５８】
図４（Ａ）、（Ｂ）に示すように、第１の基板３００に設けられたスイッチング素子であるトランジスタ３０１は、薄膜トランジスタを用いることができる。薄膜トランジスタのチャネルが形成される半導体膜に用いる半導体材料の一例としては、非晶質シリコン、多結晶シリコン、単結晶シリコン、微結晶シリコンなどを用いることができる。他の一例としては、酸化物半導体を用いることができる。
【００５９】
なお図４（Ａ）では図２（Ａ）で示した第２の基板側への光の射出を行う構成、図４（Ｂ）では図２（Ｂ）で示した第１の基板側への光の射出を行う構成について示している。
【００６０】
半導体膜には、ゲート絶縁膜を介してゲート電極（走査線）が設けられており、ゲート電極下の半導体膜がチャネル形成領域となる。また、半導体膜は、ソース領域又はドレイン領域となる領域を有する。ゲート電極を覆うように第１の絶縁膜３１６が設けられている。第１の絶縁膜３１６にはソース領域又はドレイン領域となる領域上に開口部（コンタクトホール）が設けられている。開口部には電極（配線）が設けられており、当該電極はソース電極及びドレイン電極として機能する。第１の絶縁膜３１６の材料は、有機材料や無機材料を用いることができる。
【００６１】
ドレイン電極と接続するように、ＥＬ素子の第１の電極３１１が設けられる。そして第１の電極３１１の一部を覆うように隔壁３１７が設けられる。第１の電極３１１上にはＥＬ層３１２が設けられ、ＥＬ層３１２の上には第２の電極３１３が設けられる。第２の電極３１３上にはパッシベーション膜として機能する第２の絶縁膜３１４が設けられる。第２の絶縁膜３１４により、劣化の要因となる水分や酸素の侵入を防止することができる。
【００６２】
第１の基板３００と第２の基板３１５とを張り合わせた後に形成される空間には、窒素を封入し、加えて乾燥剤を配置してもよい。
【００６３】
以上説明したＥＬ素子の断面図の構成で、図４（Ａ）に示すように第２の基板３１５側に光を射出する構成とするには、第１の電極３１１を光の反射性の高い材料とし、第２の電極３１３を透光性の高い材料とする。
【００６４】
また以上説明したＥＬ素子の断面図の構成で、図４（Ｂ）に示すように第１の基板３００側に光を射出する構成とするには、第１の電極３１１を透光性の高い材料とし、第２の電極３１３を光の反射性の高い材料とすると好ましい。
【００６５】
＜光シャッター部１１０の構成例＞
図１（Ａ）、（Ｂ）に示す光シャッター部１１０における第１の電極１１２及び第２の電極１１４は、視認者が視差を認識できるようストライプ状の透光部１１０Ａまたは遮光部１１０Ｂが形成されるよう予め電極を形成しておく。すなわち光シャッター部１１０における高分子分散型液晶は、第１の電極１１２及び第２の電極１１４の設け方により、縦方向の透光部１１０Ａ及び遮光部１１０Ｂによるストライプ（図５（Ａ）を参照）、または横方向の透光部１１０Ａ及び遮光部１１０Ｂによるストライプ（図５（Ｂ）を参照）を選択して形成できる。なお光シャッター部１１０の第１の電極１１２及び第２の電極１１４に電圧を印加しないことで遮光部をなくし、光シャッター部の全面にて光を透過させるよう切り替えることが可能である。当該切り替えは、２Ｄ表示の際、解像度を落とさずに表示を行う上で有効である。
【００６６】
＜複数のＥＬ素子を有する光源部１００による利点＞
図６（Ａ）、（Ｂ）は、上述した複数のＥＬ素子を有する光源部１００と、ストライプ状の遮光部を形成することができる光シャッター部１１０を組み合わせることによる利点について説明するための図である。
【００６７】
液晶表示装置において、光源部１００の複数のＥＬ素子を個別に制御することによって、光源部１００による光の射出を局所的に制御することができる。そのため、液晶表示装置が表示するコントラスト比を改善させることが可能である。
【００６８】
バックライトとして機能する光源部１００の局所的な制御について、具体的な例を図６（Ａ）に示す。光源部１００での光の射出が局所的に制御可能である場合、図６（Ａ）の光源部１００に示すように、光源非点灯部１００Ａ及び光源点灯部１００Ｂを形成することができる。そのため、液晶表示装置で表示する画像の明暗に応じて、該画像に対応する領域のＥＬ素子の光の射出を局所的に制御する構成とすることができる。該構成により、視認される画像のコントラスト比を改善することができる。なお２Ｄ表示及び３Ｄ表示を切り替えても同様の効果を奏することができる。
【００６９】
また本実施の形態の構成は、光源部１００での複数のＥＬ素子による選択的な光の射出を、光シャッター部１１０の第１の電極１１２の幅と同等に細分化することができる。従って、例えば、光シャッター部１１０でのストライプ状の透光部１１０Ａ及び遮光部１１０Ｂに応じた、複数のＥＬ素子による選択的な光の射出を行う構成とすることも可能である。より具体的には、光シャッター部１１０の第１の電極１１２と重なるＥＬ素子のみを選択的に発光させる、あるいは選択的に非発光とすることも可能である。
【００７０】
光源部１００の複数のＥＬ素子の個別的な光の射出の構成例について図６（Ｂ）を用いて説明する。図６（Ｂ）では、光シャッター部１１０において、ストライプ状の透光部１１０Ａ及び遮光部１１０Ｂを有する。光シャッター部１１０では高分子分散型液晶への電圧の印加が十分でない領域が生じることもあり得る。この場合、遮光部１１０Ｂで光漏れが生じやすい。また、視認者の位置によっては、遮光部１１０Ｂと重なるＥＬ素子からの光漏れが認識されることがある。そのため、この光漏れをなくすよう、光源部１００における遮光部１１０Ｂと重なる領域において、局所的に光源非点灯部１００Ａ及び光源点灯部１００Ｂを形成する。一例としては、図６（Ｂ）に示すように、光シャッター部１１０の遮光部１１０Ｂと重なる領域において、透光部１１０Ａと重なる領域との境界付近のＥＬ素子を選択的に発光させて光源点灯部１００Ｂとすればよい。
【００７１】
本実施の形態で説明した本発明の一態様では、上記実施の形態１の構成と同様に、光シャッター部１１０を偏光板が必要な液晶を有する構成で形成した場合に比べ、偏光板を削減して製造コストの低減を図ることができる。また本実施の形態で説明した本発明の一態様では、上記実施の形態１の構成と同様に、光シャッター部１１０を偏光板が必要な液晶を有する構成で形成した場合に比べ、偏光板を削減することによる表示面での輝度の向上を図ることができる。そのため本実施の形態によると、より簡単な構成による視差バリア方式による裸眼での３Ｄ表示と、解像度の低下のない２Ｄ表示が切り替え可能な液晶表示装置を実現できる。
【００７２】
また特に本実施の形態で示した本発明の一態様は、バックライトとなる光源部に、複数のＥＬ素子を設け、当該ＥＬ素子を選択的に制御可能にして、選択的な光の射出をすることができる。
【００７３】
本実施の形態は、他の実施の形態に記載した構成と適宜組み合わせて実施することが可能である。
【００７４】
（実施の形態３）
本明細書に開示する液晶表示装置は、さまざまな電子機器（遊技機も含む）に適用することができる。電子機器としては、例えば、テレビジョン装置（テレビ、またはテレビジョン受信機ともいう）、コンピュータ用などのモニタ、デジタルカメラ、デジタルビデオカメラ等のカメラ、デジタルフォトフレーム、携帯電話機（携帯電話、携帯電話装置ともいう）、携帯型ゲーム機、携帯情報端末、音響再生装置、パチンコ機などの大型ゲーム機などが挙げられる。上記実施の形態で説明した表示装置を具備する電子機器の例について説明する。
【００７５】
図７（Ａ）は、電子書籍の一例を示している。図７（Ａ）に示す電子書籍は、筐体１７００及び筐体１７０１の２つの筐体で構成されている。筐体１７００及び筐体１７０１は、蝶番１７０４により一体になっており、開閉動作を行うことができる。このような構成により、書籍のような動作を行うことが可能となる。
【００７６】
筐体１７００には表示部１７０２が組み込まれ、筐体１７０１には表示部１７０３が組み込まれている。表示部１７０２及び表示部１７０３は、続き画面を表示する構成としてもよいし、異なる画面を表示する構成としてもよい。異なる画面を表示する構成とすることで、例えば右側の表示部（図７（Ａ）では表示部１７０２）に文章を表示し、左側の表示部（図７（Ａ）では表示部１７０３）に画像を表示することができる。
【００７７】
また、図７（Ａ）では、筐体１７００に操作部等を備えた例を示している。例えば、筐体１７００は、電源入力端子１７０５、操作キー１７０６、スピーカ１７０７等を備えている。操作キー１７０６により、頁を送ることができる。なお、筐体の表示部と同一面にキーボードやポインティングディバイス等を備える構成としてもよい。また、筐体の裏面や側面に、外部接続用端子（イヤホン端子、ＵＳＢ端子、及びＵＳＢケーブル等の各種ケーブルと接続可能な端子等）、記録媒体挿入部等を備える構成としてもよい。さらに、図７（Ａ）に示す電子書籍は、電子辞書としての機能を持たせた構成としてもよい。
【００７８】
図７（Ｂ）は、表示装置を用いたデジタルフォトフレームの一例を示している。例えば、図７（Ｂ）に示すデジタルフォトフレームは、筐体１７１１に表示部１７１２が組み込まれている。表示部１７１２は、各種画像を表示することが可能であり、例えば、デジタルカメラ等で撮影した画像データを表示させることで、通常の写真立てと同様に機能させることができる。
【００７９】
なお、図７（Ｂ）に示すデジタルフォトフレームは、操作部、外部接続用端子（ＵＳＢ端子、ＵＳＢケーブル等の各種ケーブルと接続可能な端子等）、記録媒体挿入部等を備える構成とする。これらの構成は、表示部と同一面に組み込まれていてもよいが、側面や裏面に備えるとデザイン性が向上するため好ましい。例えば、デジタルフォトフレームの記録媒体挿入部に、デジタルカメラで撮影した画像データを記憶したメモリを挿入して画像データを取り込み、取り込んだ画像データを表示部１７１２に表示させることができる。
【００８０】
図７（Ｃ）は、表示装置を用いたテレビジョン装置の一例を示している。図７（Ｃ）に示すテレビジョン装置は、筐体１７２１に表示部１７２２が組み込まれている。表示部１７２２により、映像を表示することが可能である。また、ここでは、スタンド１７２３により筐体１７２１を支持した構成を示している。表示部１７２２は、上記実施の形態に示した表示装置を適用することができる。
【００８１】
図７（Ｃ）に示すテレビジョン装置の操作は、筐体１７２１が備える操作スイッチや、別体のリモコン操作機により行うことができる。リモコン操作機が備える操作キーにより、チャンネルや音量の操作を行うことができ、表示部１７２２に表示される映像を操作することができる。また、リモコン操作機に、当該リモコン操作機から出力する情報を表示する表示部を設ける構成としてもよい。
【００８２】
図７（Ｄ）は、表示装置を用いた携帯電話機の一例を示している。図７（Ｄ）に示す携帯電話機は、筐体１７３１に組み込まれた表示部１７３２の他、操作ボタン１７３３、操作ボタン１７３７、外部接続ポート１７３４、スピーカ１７３５、及びマイク１７３６等を備えている。
【００８３】
図７（Ｄ）に示す携帯電話機は、表示部１７３２がタッチパネルになっており、指等の接触により、表示部１７３２の表示内容を操作することができる。また、電話の発信、或いはメールの作成等は、表示部１７３２を指等で接触することにより行うことができる。
【００８４】
本実施の形態は、他の実施の形態に記載した構成と適宜組み合わせて実施することが可能である。
【符号の説明】
【００８５】
１００    光源部
１０１    第１の基板
１０２    ＥＬ素子
１０３    第２の基板
１０４    矢印
１０５    スイッチング素子
１０６    隔壁
１１０    光シャッター部
１１１    第１の基板
１１２    第１の電極
１１３    高分子分散型液晶
１１４    第２の電極
１１５    第２の基板
１１６    矢印
１２０    液晶パネル
１２１    第１の偏光板
１２２    第１の基板
１２３    スイッチング素子
１２４    第１の電極
１２５    液晶
１２６    第２の電極
１２８    第２の基板
１２９    第２の偏光板
２０１    走査線駆動回路
２０２    信号線駆動回路
２０３    光源領域
２０４    光源
２０５    走査線
２０６    信号線
２０７    電源回路
２０８    電流供給線
２１１    トランジスタ
２１２    容量素子
２１３    トランジスタ
２１４    ＥＬ素子
３００    第１の基板
３０１    トランジスタ
３１１    第１の電極
３１２    ＥＬ層
３１３    第２の電極
３１４    第２の絶縁膜
３１５    第２の基板
３１６    第１の絶縁膜
３１７    隔壁
１００Ａ    光源非点灯部
１００Ｂ    光源点灯部
１１０Ａ    透光部
１１０Ｂ    遮光部
１２０Ｌ    画素部
１２０Ｒ    画素部
１２７Ｂ    カラーフィルタ
１２７Ｇ    カラーフィルタ
１２７Ｒ    カラーフィルタ
１３０Ｌ    左目
１３０Ｒ    右目
１７００    筐体
１７０１    筐体
１７０２    表示部
１７０３    表示部
１７０４    蝶番
１７０５    電源入力端子
１７０６    操作キー
１７０７    スピーカ
１７１１    筐体
１７１２    表示部
１７２１    筐体
１７２２    表示部
１７２３    スタンド
１７３１    筐体
１７３２    表示部
１７３３    操作ボタン
１７３４    外部接続ポート
１７３５    スピーカ
１７３６    マイク
１７３７    操作ボタン
【図１】
2012186798.tif 000003
【図２】
2012186798.tif 000004
【図３】
2012186798.tif 000005
【図４】
2012186798.tif 000006
【図５】
2012186798.tif 000007
【図６】
2012186798.tif 000008
【図７】
2012186798.tif 000009